(57)【要約】【課題】利用者が無線ＬＡＮ端末を利用するときにネットワーク環境を意識することなく快適な無線ＬＡＮ接続サービスを受けることができる無線ＬＡＮ通信システムを提供すること。【解決手段】本発明の無線ＬＡＮ通信システムは、通信端末３１と、複数の無線ＬＡＮ基地局１１、１２と、無線ＬＡＮ端末１とを具備している。無線ＬＡＮ端末１はテーブルを具備し、テーブルは、利用者が無線ＬＡＮ端末１を利用しない第１状態を表す第１状態情報と、利用者が無線ＬＡＮ端末１を利用する第２状態を表す第２状態情報と、それぞれ第１、第２状態の実行に適した無線ＬＡＮ基地局１１、１２を識別する第１、第２識別子とを格納している。無線ＬＡＮ端末１は、第１状態が実行されるとき、第１識別子が識別する無線ＬＡＮ基地局１１に接続し、第２状態が実行されるとき、第２識別子が識別する無線ＬＡＮ基地局１２を介して通信端末３１に接続する。【選択図】図１
2008124619.tif 000002
【特許請求の範囲】
【請求項１】
ネットワークに接続された通信端末と、
前記ネットワークと無線ネットワークとに接続された複数の無線ＬＡＮ基地局と、
前記無線ネットワークに接続された無線ＬＡＮ端末とを具備し、
前記無線ＬＡＮ端末は、
利用者が前記無線ＬＡＮ端末を利用しない第１状態を表す第１状態情報と、利用者が前記無線ＬＡＮ端末を利用する第２状態を表す第２状態情報と、前記複数の無線ＬＡＮ基地局のうちの、それぞれ前記第１、第２状態の実行に適した前記第１、第２無線ＬＡＮ基地局を識別する第１、第２識別子とを格納するテーブルと、
前記第１及び第２状態のうちの一方の状態が実行されるとき、前記テーブルを参照して、前記第１、第２識別子のうちの、前記一方の状態に対応する対応識別子を選択する制御部と、
前記対応識別子が前記第１識別子である場合、前記第１無線ＬＡＮ基地局に接続し、前記対応識別子が前記第２識別子である場合、前記第２無線ＬＡＮ基地局を介して前記通信端末に接続する通信部と
を具備する無線ＬＡＮ通信システム。
【請求項２】
前記無線ＬＡＮ端末が前記第２無線ＬＡＮ基地局を介して前記通信端末と通信を行なうときに生じる遅延は、前記無線ＬＡＮ端末が前記第１無線ＬＡＮ基地局を介して前記通信端末と通信を行なうときに生じる遅延よりも短い
無線ＬＡＮ通信システム。
【請求項３】
請求項２に記載の無線ＬＡＮ通信システムにおいて、
前記第１状態情報は、利用者が前記無線ＬＡＮ端末を用いて通信を行なわない待ち受け状態を表し、
前記第２状態情報は、利用者が前記無線ＬＡＮ端末を用いて前記通信端末とリアルタイムで通信を行なう通信状態を表す
無線ＬＡＮ通信システム。
【請求項４】
請求項２に記載の無線ＬＡＮ通信システムにおいて、
前記通信端末は、特定のサービスを提供するプロバイダに利用され、
前記第１状態情報は、利用者が前記無線ＬＡＮ端末を用いて前記特定のサービスを利用しない待ち受け状態を表し、
前記第２状態情報は、利用者が前記無線ＬＡＮ端末を用いて前記通信端末に接続して、前記特定のサービスを利用する状態を表す
無線ＬＡＮ通信システム。
【請求項５】
請求項２に記載の無線ＬＡＮ通信システムにおいて、
前記通信端末は、前記無線ＬＡＮ端末が起動する特定のアプリケーションにより、特定のサービスを提供するプロバイダに利用され、
前記第１状態情報は、利用者が前記無線ＬＡＮ端末を用いて前記特定のアプリケーションを起動しない待ち受け状態を表し、
前記第２状態情報は、利用者が前記無線ＬＡＮ端末を用いて前記特定のアプリケーションを起動して、前記通信端末と通信を行なう状態を表す
無線ＬＡＮ通信システム。
【請求項６】
請求項２に記載の無線ＬＡＮ通信システムにおいて、
前記通信端末は、特定の通信プロトコルを提供するプロバイダに利用され、
前記第１状態情報は、利用者が前記無線ＬＡＮ端末を用いて前記特定の通信プロトコルを実行しない待ち受け状態を表し、
前記第２状態情報は、利用者が前記無線ＬＡＮ端末を用いて前記特定の通信プロトコルを実行して、前記通信端末と通信を行なう状態を表す
無線ＬＡＮ通信システム。
【請求項７】
請求項２に記載の無線ＬＡＮ通信システムにおいて、
前記通信端末は、特定のマルチキャストグループを提供するプロバイダに利用され、
前記第１状態情報は、利用者が前記無線ＬＡＮ端末を用いて前記特定のマルチキャストグループに参加しない待ち受け状態を表し、
前記第２状態情報は、利用者が前記無線ＬＡＮ端末を用いて前記通信端末に接続して、前記特定のマルチキャストグループに参加する状態を表す
無線ＬＡＮ通信システム。
【請求項８】
請求項１〜７のいずれかに記載の無線ＬＡＮ通信システムにおいて、
前記複数の無線ＬＡＮ基地局の各々は、制御部と、通信部と、前記第１状態情報と前記第２状態情報と前記第１、第２識別子とを格納する基地局用テーブルとを具備し、
前記第１状態が実行されるとき、
前記無線ＬＡＮ端末の制御部は、前記テーブルを参照して、前記第１状態に対応する前記第１識別子を選択し、
前記無線ＬＡＮ端末の通信部は、前記第１識別子が識別する前記第１無線ＬＡＮ基地局を介して、前記通信端末に接続し、
前記第１無線ＬＡＮ基地局の制御部は、前記無線ＬＡＮ端末に対して前記第２状態を実行するための実行要求を前記通信端末から受信したとき、前記実行要求に応じて、その基地局用テーブルを参照し、前記第２状態に対応する前記第２識別子を選択し、
前記第１無線ＬＡＮ基地局の通信部は、前記第２識別子を含む情報通知を前記無線ＬＡＮ端末に送信し、
前記無線ＬＡＮ端末の制御部は、前記情報通知に応じて、前記テーブルを参照して前記第２識別子に一致する識別子を選択し、
前記無線ＬＡＮ端末の通信部は、前記第２識別子が識別する前記第２無線ＬＡＮ基地局を介して、前記通信端末に接続する
無線ＬＡＮ通信システム。
【請求項９】
請求項１〜７のいずれかに記載の無線ＬＡＮ通信システムにおいて、
前記ネットワークを介して前記通信端末と前記複数の無線ＬＡＮ基地局に接続され、前記無線ネットワークに接続された無線ＬＡＮ管理サーバ
を更に具備し、
前記無線ＬＡＮ管理サーバは、制御部と、通信部と、前記第１状態情報と前記第２状態情報と前記第１、第２識別子とを格納するサーバ用テーブルとを具備し、
前記第１状態が実行されるとき、
前記無線ＬＡＮ端末の制御部は、前記テーブルを参照して、前記第１状態に対応する前記第１識別子を選択し、
前記無線ＬＡＮ端末の通信部は、前記第１識別子が識別する前記第１無線ＬＡＮ基地局を介して、前記通信端末に接続し、
前記無線ＬＡＮ管理サーバの制御部は、前記通信端末と前記複数の無線ＬＡＮ基地局とを監視し、前記通信端末が前記無線ＬＡＮ端末に対して前記第２状態を実行するための実行要求を前記第１無線ＬＡＮ基地局に送信したとき、前記実行要求に応じて、そのサーバ用テーブルを参照し、前記第２状態に対応する前記第２識別子を選択し、
前記無線ＬＡＮ管理サーバの通信部は、前記第２識別子を含む情報通知を前記無線ＬＡＮ端末に送信し、
前記無線ＬＡＮ端末の制御部は、前記情報通知に応じて、前記テーブルを参照して前記第２識別子に一致する識別子を選択し、
前記無線ＬＡＮ端末の通信部は、前記第２識別子が識別する前記第２無線ＬＡＮ基地局を介して、前記通信端末に接続する
無線ＬＡＮ通信システム。
【請求項１０】
請求項１〜９のいずれかに記載の無線ＬＡＮ通信システムにおいて、
前記無線ＬＡＮ端末の利用者は、無線ＬＡＮ接続サービス事業者が提供する無線ＬＡＮ接続サービスに加入している会員、又は、加入していない非会員であり、
前記第２無線ＬＡＮ基地局は、会員用無線ＬＡＮ基地局と、非会員用無線ＬＡＮ基地局とを含み、
前記無線ＬＡＮ端末の利用者が会員である場合、前記無線ＬＡＮ端末は、前記テーブルを参照し、前記第２状態に対応する前記第２識別子を選択し、前記第２識別子が識別する前記会員用無線ＬＡＮ基地局を介して、前記通信端末に接続し、
前記無線ＬＡＮ端末の利用者が非会員である場合、前記無線ＬＡＮ端末は、前記テーブルを参照し、前記第２状態に対応する前記第２識別子を選択し、前記第２識別子が識別する前記非会員用無線ＬＡＮ基地局を介して、前記通信端末に接続し、
前記無線ＬＡＮ端末が前記会員用無線ＬＡＮ基地局を介して前記通信端末と通信を行なうときのトラヒック量は、前記無線ＬＡＮ端末が前記非会員用無線ＬＡＮ基地局を介して前記通信端末と通信を行なうときのトラヒック量よりも少ない
無線ＬＡＮ通信システム。
【請求項１１】
請求項１〜１０のいずれかに記載の無線ＬＡＮ通信システムにおいて、
前記第１、第２識別子は、それぞれ、前記第１、第２無線ＬＡＮ基地局に関する情報及びＥＳＳ（Ｅｘｔｅｎｄｅｄ  ｓｅｒｖｉｃｅ  ｓｅｔ）に関する情報を含む
無線ＬＡＮ通信システム。
【請求項１２】
請求項１〜１１のいずれかに記載の無線ＬＡＮ通信システムは、ＩＥＥＥ８０２．１１準拠の無線ＬＡＮのインフラストラクチャーモードで通信を行うシステムに適用される
無線ＬＡＮ通信システム。
【請求項１３】
請求項１〜１２のいずれかに記載の無線ＬＡＮ通信システムに適用される無線ＬＡＮ端末。
【請求項１４】
請求項８に記載の無線ＬＡＮ通信システムに適用される前記複数の無線ＬＡＮ基地局を含む無線ＬＡＮ基地局。
【請求項１５】
請求項９に記載の無線ＬＡＮ通信システムに適用される無線ＬＡＮ管理サーバ。
【発明の詳細な説明】
【技術分野】
【０００１】
本発明は、無線ＬＡＮ（Ｌｏｃａｌ  Ａｒｅａ  Ｎｅｔｗｏｒｋ）を利用した無線ＬＡＮシステムに関する。
【背景技術】
【０００２】
無線ＬＡＮを利用した通信が普及している。無線ＬＡＮを利用した通信としては、無線ＬＡＮ端末同士で直接通信を行うアドホックモードと、無線ＬＡＮ端末が無線ＬＡＮ基地局を介して通信端末（無線ＬＡＮ端末、サーバ）との間で通信を行うインフラストラクチャーモードとが存在する。
【０００３】
ＩＥＥＥ８０２．１１準拠の無線ＬＡＮのインフラストラクチャーモードで通信を行う無線ＬＡＮシステムでは、無線ＬＡＮ端末は、無線ＬＡＮ基地局を介して通信端末に接続する場合、周囲の無線ＬＡＮ基地局を探索し、接続可能な無線ＬＡＮ基地局を見つけることができた場合、その無線ＬＡＮ基地局を介して通信端末に接続する帰属処理を行なっていた。この場合、無線ＬＡＮ端末は、無線ＬＡＮ基地局が定期的に報知するＥＳＳ（Ｅｘｔｅｎｄｅｄ  ｓｅｒｖｉｃｅ  ｓｅｔ）に関する情報や、無線ＬＡＮ端末からのｐｒｏｂｅ  ｒｅｑｕｅｓｔに対する応答に含まれるＥＳＳに関する情報などにより、ある無線ＬＡＮ基地局が接続可能か否かを判断する。
【０００４】
また、特開２００４−２９７３５４号公報（特許文献１）に記載された技術では、無線端末装置（無線ＬＡＮ端末）が複数の帰属可能なサービスグループを有し、通信網（サーバ）に問い合わせを行い、効率よく帰属する。例えば、無線端末装置（無線ＬＡＮ端末）は、自身の移動により通信が困難となった場合、電波伝搬環境の変化により現在帰属している無線ＬＡＮ基地局との通信が困難となった場合、現在帰属している無線ＬＡＮ基地局の負荷が高くなった場合に、現在のサービスグループから他のサービスグループに移る。
【０００５】
このような無線ＬＡＮシステムとして、更に改良される余地がある。
【０００６】
無線ＬＡＮに関連する技術を紹介する。
【０００７】
上述の特許文献１として、特開２００４−２９７３５４号公報には無線通信システムが記載されている。この無線通信システムは、無線端末装置と、それぞれが複数のサービスグループのいずれかに属するとともにそれぞれ識別子が割り当てられた複数の無線チャネルを用いて前記無線端末装置に通信を行わせる通信網とを含んでいる。前記無線通信システムは、前記無線端末装置に設けられ、前記複数のサービスグループのうちの１つを示した問い合わせ情報を、前記無線チャネルを利用して送信する第１送信手段と、前記通信網に設けられ、前記問い合わせ情報を受信する第１受信手段と、前記通信網に設けられ、受信された前記問い合わせ情報に示される前記サービスグループに属した前記無線チャネルを選択する選択手段と、前記通信網に設けられ、選択された前記無線チャネルおよびこの選択された前記無線チャネルに割り当てられている前記識別子の少なくともいずれか一方を示した回答情報を生成する生成手段と、前記通信網に設けられ、前記問い合わせ情報の伝送に使用された前記無線チャネルを用いて前記回答情報を前記無線端末装置へ送信する第２送信手段と、前記無線端末装置に設けられ、前記第２送信手段により送信された前記回答情報を受信する第２受信手段とを具備したことを特徴としている。これにより、重複するエリアで複数の無線チャネルを使用した通信サービスを効率的に提供することが可能となる。
【０００８】
特開２００１−１０３５３１号公報（特許文献２）には無線ＬＡＮ基地局選択装置が記載されている。この無線ＬＡＮ基地局選択装置は、複数の無線基地局と、特定の周波数帯域を使用して通信を行う１つまたは複数の無線移動端末装置と、前記複数の無線基地局間を接続する有線ローカルエリアネットワーク（ＬＡＮ）とで構成される無線ＬＡＮを用いた通信システムにおいて、前記無線基地局は、当該無線基地局によって構築される通話ゾーンから、別の無線基地局の通話ゾーンに移動する前記無線移動端末装置各々に関する接続情報の統計情報を集計する統計手段と、前記統計手段によって集計された接続情報から、当該端末装置が最も移動する確率の高い順に優先度づけを付与した基地局情報を、当該端末装置に通知する手段を有し、前記無線移動端末装置は、他の無線基地局の通話ゾーンに移動時、前記通知された切替え情報に含まれる優先度を付与した基地局情報を参照し、移動先基地局の通話周波数の選択処理を行う周波数選択手段を有することを特徴としている。これにより、基地局装置相互間を移動する端末装置の移動情報から統計的に得られた情報を用いて自律的に、新たな基地局装置に効率的に接続を切替えることができる。
【０００９】
特開２００４−４０５９１号公報（特許文献３）には無線ＬＡＮシステムが記載されている。この無線ＬＡＮシステムは、アクセスポイントとステーションとによりインフラストラクチャーモードで構成されると共に、通常通信する第１のアクセスポイントと前記第１のアクセスポイントのバックアップとなる第２のアクセスポイントを備えることにより２重化通信経路を成している。前記無線ＬＡＮシステムは、前記第１のアクセスポイントには、第１のネットワークＩＤであるＥＳＳ−ＩＤ１が格納された第１のメモリと、前記第２のアクセスポイントには、第２のネットワークＩＤであるＥＳＳ−ＩＤ２が格納された第２のメモリと、前記ステーションには、ネットワークＩＤである前記ＥＳＳ−ＩＤ１及び前記ＥＳＳ−ＩＤ２が格納された第３のメモリと、前記第１のアクセスポイントとの通信エラーを検出する検出手段と、前記通信エラーが検出された場合、前記ＥＳＳ−ＩＤ１から前記ＥＳＳ−ＩＤ２に切り換えるＩＤ切り換え手段と、該ＩＤ切り換え手段により切り換えられた前記ＥＳＳ−ＩＤ２に基づいて前記第２のアクセスポイントと通信する通信手段とを備えた、ことを特徴としている。これにより、通常時において、ステーションがネットワークＩＤをＥＳＳ−ＩＤ１により第１のアクセスポイントと通信を行い、通信エラーの検出時には、ステーションが第２のアクセスポイントと通信をするので、通信エラーが生じても第２のアクセスポイントとステーションが通信を継続できる。
【００１０】
特開２００５−８６２３４号公報（特許文献４）には無線ＬＡＮの切替えシステムが記載されている。この無線ＬＡＮの切替えシステムは、基幹ネットワークに接続される無線ＬＡＮアクセスポイントの配下にある複数の無線ＬＡＮクライアントに対するシステムである。前記無線ＬＡＮの切替えシステムは、前記無線ＬＡＮアクセスポイントでインフラストラクチャーモード、アドホックモードの機能を有する無線ＬＡＮクライアント同士のトラフィックを監視するトラフィック監視部と、前記トラフィック監視部で監視されるトラフィックが所定値以上に高くなった場合、無線ＬＡＮクライアント同士の接続要求に対して前記無線ＬＡＮクライアントにインフラストラクチャーモードからアドホックモードに通信を切り替えるように無線設定変更指示を行う無線設定変更指示部と、前記無線ＬＡＮクライアントでは前記無線ＬＡＮアクセスポイントの前記無線設定変更指示部からの指示に従ってインフラストラクチャーモードからアドホックモードに切り替える無線設定変更部とを備えることを特徴としている。これにより、同一無線ＬＡＮアクセスポイントの配下にあるクライアント間同士の通信が発生しても、無線ＬＡＮシステム内のスループットが低下しない。
【００１１】
【特許文献１】特開２００４−２９７３５４号公報
【特許文献２】特開２００１−１０３５３１号公報
【特許文献３】特開２００４−４０５９１号公報
【特許文献４】特開２００５−８６２３４号公報
【発明の開示】
【発明が解決しようとする課題】
【００１２】
本発明の課題は、利用者が無線ＬＡＮ端末を利用するときにネットワーク環境を意識することなく快適な無線ＬＡＮ接続サービスを受けることができる無線ＬＡＮ通信システムを提供することにある。
本発明の他の課題は、利用者の利便性が向上する無線ＬＡＮ通信システムを提供することにある。
本発明の更に他の課題は、会員と非会員双方に無線ＬＡＮ接続サービスを提供し、その無線ＬＡＮ接続サービスにより会員と非会員に対して差別化を図ることができる無線ＬＡＮ通信システムを提供することにある。
【課題を解決するための手段】
【００１３】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１４】
本発明の無線ＬＡＮ通信システムは、ネットワーク（４２）に接続された通信端末（３１）と、前記ネットワーク（４２）と無線ネットワーク（４１）とに接続された複数の無線ＬＡＮ基地局（１１、１２）と、前記無線ネットワーク（４１）に接続された無線ＬＡＮ端末（１）とを具備している。
前記無線ＬＡＮ端末（１）は、テーブル（１０７）と、制御部（１０５、１０６、１０８〜１１０）と、通信部（１０１〜１０４）とを具備している。
前記テーブル（１０７）は、利用者が前記無線ＬＡＮ端末（１）を利用しない第１状態を表す第１状態情報と、利用者が前記無線ＬＡＮ端末（１）を利用する第２状態を表す第２状態情報と、前記複数の無線ＬＡＮ基地局（１１、１２）のうちの、それぞれ前記第１、第２状態の実行に適した前記第１、第２無線ＬＡＮ基地局（１１）（１２）を識別する第１、第２識別子とを格納している。
前記無線ＬＡＮ端末（１）の制御部（１０５、１０６、１０８〜１１０）は、前記第１及び第２状態のうちの一方の状態が実行されるとき、前記テーブル（１０７）を参照して、前記第１、第２識別子のうちの、前記一方の状態に対応する対応識別子を選択する（Ｓ１０１−ＹＥＳ、Ｓ１０２−ＮＯ、Ｓ１０４）（Ｓ１０１−ＹＥＳ、Ｓ１０２−ＹＥＳ、Ｓ１０５）。
前記対応識別子が前記第１識別子である場合、前記無線ＬＡＮ端末（１）の通信部（１０１〜１０４）は、前記第１無線ＬＡＮ基地局（１１）に接続する（Ｓ１０６）（Ｅ１１）。
前記対応識別子が前記第２識別子である場合、前記無線ＬＡＮ端末（１）の通信部（１０１〜１０４）は、前記第２無線ＬＡＮ基地局（１２）を介して前記通信端末（３１）に接続する（Ｓ１０６）（Ｅ１２（、Ｅ１３、Ｅ１４））。
【００１５】
本発明の無線ＬＡＮ通信システムにおいて、前記無線ＬＡＮ端末（１）が前記第２無線ＬＡＮ基地局（１２）を介して前記通信端末（３１）と通信を行なうときに生じる遅延は、前記無線ＬＡＮ端末（１）が前記第１無線ＬＡＮ基地局（１１）を介して前記通信端末（３１）と通信を行なうときに生じる遅延よりも短い。
【００１６】
本発明の無線ＬＡＮ通信システムにおいて、前記第１状態情報は、利用者が前記無線ＬＡＮ端末（１）（端末Ａ）を用いて通信を行なわない待ち受け状態を表している。
前記第２状態情報は、利用者が前記無線ＬＡＮ端末（１）（端末Ａ）を用いて前記通信端末（３１）とリアルタイムで通信を行なう通信状態を表している。
【００１７】
本発明の無線ＬＡＮ通信システムにおいて、前記通信端末（３１）は、特定のサービス（サービスＢ）を提供するプロバイダ（プロバイダＡ）に利用される。
前記第１状態情報は、利用者が前記無線ＬＡＮ端末（１）（端末Ａ）を用いて前記特定のサービスを利用しない待ち受け状態を表している。
前記第２状態情報は、利用者が前記無線ＬＡＮ端末（１）（端末Ａ）を用いて前記通信端末（３１）に接続して、前記特定のサービス（サービスＢ）を利用する状態を表している。
【００１８】
本発明の無線ＬＡＮ通信システムにおいて、前記通信端末（３１）は、前記無線ＬＡＮ端末（１）（端末Ａ）が起動する特定のアプリケーションにより、特定のサービス（サービスＢ）を提供するプロバイダ（プロバイダＡ）に利用される。
前記第１状態情報は、利用者が前記無線ＬＡＮ端末（１）（端末Ａ）を用いて前記特定のアプリケーションを起動しない待ち受け状態を表している。
前記第２状態情報は、利用者が前記無線ＬＡＮ端末（１）（端末Ａ）を用いて前記特定のアプリケーションを起動して、前記通信端末（３１）と通信を行なう状態を表している。
【００１９】
本発明の無線ＬＡＮ通信システムにおいて、前記通信端末（３１）は、特定の通信プロトコル（プロトコルＣ）を提供するプロバイダ（プロバイダＡ）に利用される。
前記第１状態情報は、利用者が前記無線ＬＡＮ端末（１）（端末Ａ）を用いて前記特定の通信プロトコルを実行しない待ち受け状態を表している。
前記第２状態情報は、利用者が前記無線ＬＡＮ端末（１）（端末Ａ）を用いて前記特定の通信プロトコルを実行して、前記通信端末（３１）と通信を行なう状態を表している。
【００２０】
本発明の無線ＬＡＮ通信システムにおいて、前記通信端末（３１）は、特定のマルチキャストグループ（マルチキャストグループＤ）を提供するプロバイダ（プロバイダＡ）に利用される。
前記第１状態情報は、利用者が前記無線ＬＡＮ端末（１）（端末Ａ）を用いて前記特定のマルチキャストグループに参加しない待ち受け状態を表している。
前記第２状態情報は、利用者が前記無線ＬＡＮ端末（１）（端末Ａ）を用いて前記通信端末（３１）に接続して、前記特定のマルチキャストグループに参加する状態を表している。
【００２１】
本発明の無線ＬＡＮ通信システムにおいて、前記複数の無線ＬＡＮ基地局（１１、１２）の各々は、制御部（２０５〜２０７、２１０、２１１）と、通信部（２０１〜２０４）と、前記第１状態情報と前記第２状態情報と前記第１、第２識別子とを格納する基地局用テーブル（２０８）とを具備している。
前記第１状態が実行される。
このとき、前記無線ＬＡＮ端末（１）の制御部（１０５、１０６、１０８〜１１０）は、前記テーブル（１０７）を参照して、前記第１状態に対応する前記第１識別子を選択する（Ｓ１０１−ＹＥＳ、Ｓ１０２−ＮＯ、Ｓ１０３−ＮＯ、Ｓ１０４）。
前記無線ＬＡＮ端末（１）の通信部（１０１〜１０４）は、前記第１識別子が識別する前記第１無線ＬＡＮ基地局（１１）を介して、前記通信端末（３１）に接続する（Ｓ１０６）（Ｅ１）。
前記第１無線ＬＡＮ基地局（１１）の制御部（２０５〜２０７、２１０、２１１）は、前記無線ＬＡＮ端末（１）に対して前記第２状態を実行するための実行要求を前記通信端末（３１）から受信する（Ｅ２）。
このとき、前記第１無線ＬＡＮ基地局（１１）の制御部（２０５〜２０７、２１０、２１１）は、前記実行要求に応じて、その基地局用テーブル（２０８）を参照し、前記第２状態に対応する前記第２識別子を選択する。
前記第１無線ＬＡＮ基地局（１１）の通信部（２０１〜２０４）は、前記第２識別子を含む情報通知を前記無線ＬＡＮ端末（１）に送信する（（Ｅ３、）Ｅ４）。
前記無線ＬＡＮ端末（１）の制御部（１０５、１０６、１０８〜１１０）は、前記情報通知に応じて、前記テーブル（１０７）を参照して前記第２識別子に一致する識別子を選択する（Ｓ１０１−ＹＥＳ、Ｓ１０２−ＮＯ、Ｓ１０３−ＹＥＳ、Ｓ１０５）（Ｅ５、Ｅ７）。
前記無線ＬＡＮ端末（１）の通信部（１０１〜１０４）は、前記第２識別子が識別する前記第２無線ＬＡＮ基地局（１２）を介して、前記通信端末（３１）に接続する（Ｓ１０６）（Ｅ８（、Ｅ９、Ｅ１０））。
【００２２】
本発明の無線ＬＡＮ通信システムは、無線ＬＡＮ管理サーバ（２１）を更に具備している。
前記無線ＬＡＮ管理サーバ（２１）は、前記ネットワーク（４２）を介して前記通信端末（３１）と前記複数の無線ＬＡＮ基地局（１１、１２）に接続され、前記無線ネットワーク（４１）に接続されている。
前記無線ＬＡＮ管理サーバ（２１）は、制御部（２０５〜２０７、２１０、２１１）と、通信部（２０１〜２０４）と、前記第１状態情報と前記第２状態情報と前記第１、第２識別子とを格納するサーバ用テーブル（２０８）とを具備している。
前記第１状態が実行される。
このとき、前記無線ＬＡＮ端末（１）の制御部（１０５、１０６、１０８〜１１０）は、前記テーブル（１０７）を参照して、前記第１状態に対応する前記第１識別子を選択する（Ｓ１０１−ＹＥＳ、Ｓ１０２−ＮＯ、Ｓ１０３−ＮＯ、Ｓ１０４）。
前記無線ＬＡＮ端末（１）の通信部（１０１〜１０４）は、前記第１識別子が識別する前記第１無線ＬＡＮ基地局（１１）を介して、前記通信端末（３１）に接続する（Ｓ１０６）（Ｅ１）。
前記無線ＬＡＮ管理サーバ（２１）の制御部（２０５〜２０７、２１０、２１１）は、前記通信端末（３１）と前記複数の無線ＬＡＮ基地局（１１、１２）とを監視する。前記通信端末（３１）が前記無線ＬＡＮ端末（１）に対して前記第２状態を実行するための実行要求を前記第１無線ＬＡＮ基地局（１１）に送信する（Ｅ２）。
このとき、前記無線ＬＡＮ管理サーバ（２１）の制御部（２０５〜２０７、２１０、２１１）は、前記実行要求に応じて、そのサーバ用テーブル（２０８）を参照し、前記第２状態に対応する前記第２識別子を選択する。
前記無線ＬＡＮ管理サーバ（２１）の通信部（２０１〜２０４）は、前記第２識別子を含む情報通知を前記無線ＬＡＮ端末（１）に送信する（（Ｅ３、）Ｅ４）。
前記無線ＬＡＮ端末（１）の制御部（１０５、１０６、１０８〜１１０）は、前記情報通知に応じて、前記テーブル（１０７）を参照して前記第２識別子に一致する識別子を選択する（Ｓ１０１−ＹＥＳ、Ｓ１０２−ＮＯ、Ｓ１０３−ＹＥＳ、Ｓ１０５）（Ｅ５〜Ｅ７）。
前記無線ＬＡＮ端末（１）の通信部（１０１〜１０４）は、前記第２識別子が識別する前記第２無線ＬＡＮ基地局（１２）を介して、前記通信端末（３１）に接続する（Ｓ１０６）（Ｅ８（、Ｅ９、Ｅ１０））。
【００２３】
本発明の無線ＬＡＮ通信システムにおいて、前記無線ＬＡＮ端末（１）（２）の利用者（３０１）は、無線ＬＡＮ接続サービス事業者（３０２）が提供する無線ＬＡＮ接続サービスに加入している会員、又は、加入していない非会員である。
前記第２無線ＬＡＮ基地局は、会員用無線ＬＡＮ基地局（１２）と、非会員用無線ＬＡＮ基地局（１３）とを含んでいる。
前記無線ＬＡＮ端末（１）の利用者（３０１）が会員である。
この場合、前記無線ＬＡＮ端末（１）は、前記テーブル（１０７）を参照し、前記第２状態に対応する前記第２識別子を選択する（Ｓ１０１−ＹＥＳ、Ｓ１０２−ＹＥＳ、Ｓ１０５）（Ｓ１０１−ＹＥＳ、Ｓ１０２−ＮＯ、Ｓ１０３−ＹＥＳ、Ｓ１０５）（Ｅ５、Ｅ７）。前記無線ＬＡＮ端末（１）は、前記第２識別子が識別する前記会員用無線ＬＡＮ基地局（１２）を介して、前記通信端末（３１）に接続し（Ｓ１０６）（Ｅ８（、Ｅ９、Ｅ１０））。
前記無線ＬＡＮ端末（２）の利用者（３０１）が非会員である。
この場合、前記無線ＬＡＮ端末（２）は、前記テーブル（１０７）を参照し、前記第２状態に対応する前記第２識別子を選択する（Ｓ１０１−ＹＥＳ、Ｓ１０２−ＹＥＳ、Ｓ１０５）（Ｓ１０１−ＹＥＳ、Ｓ１０２−ＮＯ、Ｓ１０３−ＹＥＳ、Ｓ１０５）（Ｅ５、Ｅ７）。前記無線ＬＡＮ端末（１）は、前記第２識別子が識別する前記非会員用無線ＬＡＮ基地局（１３）を介して、前記通信端末（３１）に接続する（Ｓ１０６）（Ｅ８（、Ｅ９、Ｅ１０））。
前記無線ＬＡＮ端末（１）が前記会員用無線ＬＡＮ基地局（１２）を介して前記通信端末（３１）と通信を行なうときのトラヒック量は、前記無線ＬＡＮ端末（１）が前記非会員用無線ＬＡＮ基地局（１２）を介して前記通信端末（３１）と通信を行なうときのトラヒック量よりも少ない。
【００２４】
本発明の無線ＬＡＮ通信システムにおいて、前記第１、第２識別子は、それぞれ、前記第１、第２無線ＬＡＮ基地局（１１、１２）に関する情報及びＥＳＳ（Ｅｘｔｅｎｄｅｄ  ｓｅｒｖｉｃｅ  ｓｅｔ）に関する情報を含んでいる。
【００２５】
本発明の無線ＬＡＮ通信システムは、ＩＥＥＥ８０２．１１準拠の無線ＬＡＮのインフラストラクチャーモードで通信を行うシステムに適用される。
【００２６】
本発明の無線ＬＡＮ端末（１）は、上記の無線ＬＡＮ端末（１）である。
【００２７】
本発明の無線ＬＡＮ基地局（１１、１２）は、上記の複数の無線ＬＡＮ基地局（１１、１２）である。
【００２８】
本発明の無線ＬＡＮ管理サーバ（２１）は、上記の無線ＬＡＮ管理サーバ（２１）である。
【発明の効果】
【００２９】
以上により、本発明の無線ＬＡＮ通信システムでは、無線ＬＡＮ端末（１）は、自身の状態（第１状態、第２状態）を実行するときに、自動的に、その状態に適した無線ＬＡＮ基地局を選択して帰属するため、その状態に適したネットワーク環境で通話（通信）を行うことができる。これにより、無線ＬＡＮ端末（１）の利用者は、ネットワーク環境を意識することなく快適な無線ＬＡＮ接続サービスを受けることができる。
【００３０】
また、本発明の無線ＬＡＮ通信システムによれば、無線ＬＡＮ端末（１）は、自身の状態によって、適した無線ＬＡＮ基地局に帰属することができるので、たとえば第１状態として待ち受け時では無線ＬＡＮ端末（１）の待ち受け時間を長くできるような設定の無線ＬＡＮ基地局（１１）に帰属し、第２状態としてリアルタイム通信時では遅延を短くできるような設定の無線ＬＡＮ基地局（１２）に帰属することが可能となり、利用者の利便性が向上する。また、本発明の無線ＬＡＮ通信システムによれば、無線ＬＡＮ端末（１）は、第２状態として、利用するサービスや、起動するアプリケーションや、使用する通信プロトコルや、参加するマルチキャストに適した無線ＬＡＮ基地局（１２）を選択して帰属することも可能であり、さらに利便性が向上する。
【００３１】
また、本発明の無線ＬＡＮ通信システムでは、無線ＬＡＮ端末（１）が無線ＬＡＮ基地局（１１）と接続しているときに、通信端末（３１）が無線ＬＡＮ端末（１）と通信するために、第２状態を実行するための実行要求を行なう場合もある。この場合でも、無線ＬＡＮ基地局（１１）は、上記の第２状態に適した無線ＬＡＮ基地局（１２）を選択し、無線ＬＡＮ基地局（１２）を識別する識別子を含む情報通知を無線ＬＡＮ端末（１）に通知し、無線ＬＡＮ端末（１）は、その情報通知により無線ＬＡＮ基地局（１２）を選択して帰属するため、第２状態に適したネットワーク環境で通話（通信）を行うことができる。これにより、無線ＬＡＮ端末（１）の利用者がネットワーク環境を意識することなく快適な無線ＬＡＮ接続サービスを受けることができる。
【００３２】
また、本発明の無線ＬＡＮ通信システムでは、無線ＬＡＮ端末（１）が無線ＬＡＮ基地局（１１）と接続しているときに、通信端末（３１）が無線ＬＡＮ端末（１）と通信するために、第２状態を実行するための実行要求を行なう場合もある。この場合でも、無線ＬＡＮ管理サーバ（２１）は、通信端末（３１）と複数の無線ＬＡＮ基地局（１１、１２）とを監視し、上記の第２状態に適した無線ＬＡＮ基地局（１２）を選択し、無線ＬＡＮ基地局（１２）を識別する識別子を含む情報通知を無線ＬＡＮ端末（１）に通知し、無線ＬＡＮ端末（１）は、その情報通知により無線ＬＡＮ基地局（１２）を選択して帰属するため、第２状態に適したネットワーク環境で通話（通信）を行うことができる。これにより、無線ＬＡＮ端末（１）の利用者がネットワーク環境を意識することなく快適な無線ＬＡＮ接続サービスを受けることができる。
【００３３】
また、本発明の無線ＬＡＮ通信システムでは、本システムを利用する利用者を会員と非会員とに分けている。通常の通信システムにおける会員制度では、会員は無線ＬＡＮ基地局を介してネットワークに接続可能とし、会員以外は通信端末に接続不可能とすることで、単にネットワークへの接続のみを付加価値として提供している。本発明の無線ＬＡＮ通信システムでは、会員と非会員双方に無線ＬＡＮ接続サービスを提供し、その無線ＬＡＮ接続サービスにより会員と非会員に対して差別化を図ることができる。
【発明を実施するための最良の形態】
【００３４】
以下に添付図面を参照して、本発明の無線ＬＡＮ通信システムについて詳細に説明する。
【００３５】
（第１実施形態）
図１は、本発明の第１実施形態による無線ＬＡＮ通信システムの構成を示している。
第１実施形態による無線ＬＡＮ通信システムは、ＩＥＥＥ８０２．１１準拠の無線ＬＡＮのインフラストラクチャーモードで通信を行うシステムに適用される。この無線ＬＡＮ通信システムは、無線ＬＡＮ端末１と、複数の無線ＬＡＮ基地局と、通信端末３１と、無線ＬＡＮ管理サーバ２１とを具備している。複数の無線ＬＡＮ基地局は、無線ＬＡＮ基地局１１、１２を含んでいる。
複数の無線ＬＡＮ基地局（１１、１２）と通信端末３１と無線ＬＡＮ管理サーバ２１は、ネットワーク４２に接続されている。
無線ＬＡＮ端末１と複数の無線ＬＡＮ基地局（１１、１２）と無線ＬＡＮ管理サーバは、無線ネットワーク４１に接続される。
【００３６】
図２は、無線ＬＡＮ端末１の構成を示している。
無線ＬＡＮ端末１は、アンテナ１０１と、無線送受信部１０２と、フレーム送信部１０３と、フレーム受信部１０４と、無線ＬＡＮ制御部１０５と、ホストインタフェース部１０６と、ＥＳＳ−ＩＤテーブル１０７と、状態判定部１０８とを具備している。
ホストインタフェース部１０６は、ホストＣＰＵ（図示しない）とのインタフェースを行う。
フレーム送信部１０３は、ホストインタフェース部１０６から送られてきた送信データを入力し、無線ＬＡＮの送信フレームに変換して無線送受信部１０２に出力する。
無線送受信部１０２は、フレーム送信部１０３の送信フレームを変調し、無線ＬＡＮ制御部１０５に指定された無線周波数やタイミングで無線信号に変換する。
アンテナ１０１は、無線送受信部１０２に接続され、無線送受信部１０２からの無線信号を送信し、外部からの無線信号を受信して無線送受信部１０２に出力する。
フレーム受信部１０４は、無線送受信部１０２からの無線信号を無線ＬＡＮ制御部１０５の指示に従い復調し、受信フレームに変換し、ホストインタフェース部１０６に転送する。
状態判定部１０８は、ホストインタフェース部１０６からの通知または送信フレームまたは受信フレームの内容から自無線ＬＡＮ端末の状態を検出し、無線ＬＡＮ制御部１０５に通知する。
ＥＳＳ−ＩＤテーブル１０７は、自無線ＬＡＮ端末が帰属するために必要なＥＳＳ−ＩＤ（Ｅｘｔｅｎｄｅｄ  Ｓｅｒｖｉｃｅ  Ｓｅｔ  ＩＤｅｎｔｉｔｙ）等の情報を格納し、無線ＬＡＮ制御部１０５は、その情報を参照する。
【００３７】
状態判定部１０８は、ホストインタフェース部１０６を介してホストＣＰＵからの端末の状態に関する状態情報を得る。この状態情報とは、利用者が無線ＬＡＮ端末１を利用しない第１状態を表す第１状態情報と、利用者が無線ＬＡＮ端末１を利用する第２状態を表す第２状態情報との一方を表している。
【００３８】
例えば、通信端末３１は、通信を行なうためのプロバイダに利用されている。この場合、第１状態情報は、利用者が無線ＬＡＮ端末１を用いて通信を行なわない待ち受け状態を表し、第２状態情報は、利用者が無線ＬＡＮ端末１を用いて通信端末３１とリアルタイムで通信を行なう通信状態を表している。
【００３９】
通信端末３１は、特定のサービスを提供するプロバイダに利用されている。この場合、第１状態情報は、利用者が無線ＬＡＮ端末１を用いて特定のサービスを利用しない待ち受け状態を表し、第２状態情報は、利用者が無線ＬＡＮ端末１を用いて通信端末３１に接続して、特定のサービスを利用する状態を表している。
【００４０】
通信端末３１は、無線ＬＡＮ端末１が起動する特定のアプリケーションにより、特定のサービスを提供するプロバイダに利用されている。この場合、第１状態情報は、利用者が無線ＬＡＮ端末１を用いて特定のアプリケーションを起動しない待ち受け状態を表し、第２状態情報は、利用者が無線ＬＡＮ端末１を用いて特定のアプリケーションを起動して、通信端末３１と通信を行なう状態を表している。
【００４１】
通信端末３１は、特定の通信プロトコルを提供するプロバイダに利用されている。この場合、第１状態情報は、利用者が無線ＬＡＮ端末１を用いて特定の通信プロトコルを実行しない待ち受け状態を表し、第２状態情報は、利用者が無線ＬＡＮ端末１を用いて特定の通信プロトコルを実行して、通信端末３１と通信を行なう状態を表している。
【００４２】
通信端末３１は、特定のマルチキャストグループを提供するプロバイダに利用されている。この場合、第１状態情報は、利用者が無線ＬＡＮ端末１を用いて特定のマルチキャストグループに参加しない待ち受け状態を表し、第２状態情報は、利用者が無線ＬＡＮ端末１を用いて通信端末３１に接続して、特定のマルチキャストグループに参加する状態を表している。
【００４３】
また、状態判定部１０８は、フレーム送信部１０３への送信データやフレーム受信部１０４からの受信データから、使用する通信プロトコルや参加するマルチキャストなどを検出する。これらの状態や検出結果を無線ＬＡＮ制御部１０５に出力する。
【００４４】
図１１は、ＥＳＳ−ＩＤテーブル１０７を示している。
ＥＳＳ−ＩＤテーブル１０７には、プロバイダ情報と、状態情報と、識別子とが格納されている。
プロバイダ情報は、例えば、プロバイダＡ、Ｂ、Ｃを表す情報であり、通信端末３１は、プロバイダＡに利用されているものとする。
状態情報は、利用者が無線ＬＡＮ端末１を利用しない第１状態を表す第１状態情報と、利用者が無線ＬＡＮ端末１を利用する第２状態を表す第２状態情報とを含んでいる。
識別子は、複数の無線ＬＡＮ基地局（１１、１２）を識別するために、複数の無線ＬＡＮ基地局（１１、１２）に関する情報及びＥＳＳ（Ｅｘｔｅｎｄｅｄ  ｓｅｒｖｉｃｅ  ｓｅｔ）に関する情報を含んでいる。識別子は、ＥＳＳ−ＩＤを含み、複数の無線ＬＡＮ基地局（１１、１２）により定期的に報知される。また、識別子は、無線ＬＡＮ端末１からのｐｒｏｂｅ  ｒｅｑｕｅｓｔに対する応答に含まれる。
【００４５】
例えば、ＥＳＳ−ＩＤテーブル１０７には、プロバイダ情報として“プロバイダＡ”と、上記通信における第１状態情報として“待ち受け”と、識別子として“ＥＳＳＡ−Ｗ”とが格納されている。また、ＥＳＳ−ＩＤテーブル１０７には、プロバイダ情報として“プロバイダＡ”と、上記通信における第２状態情報として“リアルタイム通信”と、識別子として“ＥＳＳＡ−Ｃ”とが格納されている。識別子“ＥＳＳＡ−Ｗ”、“ＥＳＳＡ−Ｃ”は、それぞれ、複数の無線ＬＡＮ基地局（１１、１２）のうちの、第１状態“待ち受け”、第２状態“リアルタイム通信”の実行に適した無線ＬＡＮ基地局１１、１２を識別しているものとする。
【００４６】
ＥＳＳ−ＩＤテーブル１０７には、プロバイダ情報として“プロバイダＡ”と、上記特定のサービスにおける第２状態情報として“サービスＢ”と、識別子として“ＥＳＳＡＢ”とが格納されている。ここで、上記特定のサービスにおける第１状態情報に対する識別子は、上記通信における第１状態情報に対する識別子と同じであるものとする。また、識別子“ＥＳＳＡＢ”は、複数の無線ＬＡＮ基地局（１１、１２）のうちの、第２状態“サービスＢ”の実行に適した無線ＬＡＮ基地局１２を識別しているものとする。
【００４７】
ＥＳＳ−ＩＤテーブル１０７には、プロバイダ情報として“プロバイダＡ”と、上記特定のアプリケーションにおける第２状態情報として“サービスＢ”と、識別子として“ＥＳＳＡＢ”とが格納されている。ここで、上記特定のサービスにおける第１状態情報に対する識別子は、上記通信における第１状態情報に対する識別子と同じであるものとする。また、識別子“ＥＳＳＡＢ”は、複数の無線ＬＡＮ基地局（１１、１２）のうちの、第２状態“サービスＢ（特定のアプリケーションを含む）”の実行に適した無線ＬＡＮ基地局１２を識別しているものとする。
【００４８】
ＥＳＳ−ＩＤテーブル１０７には、プロバイダ情報として“プロバイダＡ”と、上記特定の通信プロトコルにおける第２状態情報として“プロトコルＣ”と、識別子として“ＥＳＳＡＣ”とが格納されている。ここで、上記特定の通信プロトコルにおける第１状態情報に対する識別子は、上記通信における第１状態情報に対する識別子と同じであるものとする。また、識別子“ＥＳＳＡＣ”は、複数の無線ＬＡＮ基地局（１１、１２）のうちの、第２状態“プロトコルＣ”の実行に適した無線ＬＡＮ基地局１２を識別しているものとする。
【００４９】
ＥＳＳ−ＩＤテーブル１０７には、プロバイダ情報として“プロバイダＡ”と、上記特定のマルチキャストグループにおける第２状態情報として“マルチキャストグループＤ”と、識別子として“ＥＳＳＡＤ”とが格納されている。ここで、上記特定のマルチキャストグループにおける第１状態情報に対する識別子は、上記通信における第１状態情報に対する識別子と同じであるものとする。また、識別子“ＥＳＳＡＤ”は、複数の無線ＬＡＮ基地局（１１、１２）のうちの、第２状態“マルチキャストグループＤ”の実行に適した無線ＬＡＮ基地局１２を識別しているものとする。
【００５０】
また、ＥＳＳ−ＩＤテーブル１０７には、プロバイダ情報として“プロバイダＡ”と、上記通信における第１状態情報として“待ち受け”と、識別子として“ＥＳＳＡＣ−Ｗ”とが格納されている。また、ＥＳＳ−ＩＤテーブル１０７には、プロバイダ情報として“プロバイダＡ”と、上記通信における第２状態情報として“リアルタイム通信”と、識別子として“ＥＳＳＡＣ−Ｃ”とが格納されている。
ＥＳＳ−ＩＤテーブル１０７には、プロバイダ情報として“プロバイダＡ”と、上記特定の通信プロトコルにおける第２状態情報として“プロトコルＣ”と、識別子として“ＥＳＳＡＣ−Ｃ”とが格納されている。ここで、上記特定の通信プロトコルにおける第１状態情報に対する識別子は、上記通信における第１状態情報に対する識別子と同じであるものとする。
【００５１】
また、ＥＳＳ−ＩＤテーブル１０７には、プロバイダ情報として“プロバイダＢ”と、上記通信における第１状態情報として“待ち受け”と、識別子として“ＥＳＳＢ−Ｗ”とが格納されている。また、ＥＳＳ−ＩＤテーブル１０７には、プロバイダ情報として“プロバイダＢ”と、上記通信における第２状態情報として“リアルタイム通信”と、識別子として“ＥＳＳＢ−Ｃ”とが格納されている。
【００５２】
無線ＬＡＮ端末１は、更に、情報要求部１１０と、情報判定部１０９とを具備している。無線ＬＡＮ端末１では、上記の構成による機能のほかに、複数の無線ＬＡＮ基地局（１１、１２）や無線ＬＡＮ管理サーバ２１に帰属可能な無線ＬＡＮ基地局の情報を要求し、判定する機能を備えている。
具体的には、情報要求部１１０は、ホストインタフェース部１０６を介してホストＣＰＵからの問い合わせ要求または無線ＬＡＮ制御部１０５からの問い合わせ要求を入力し、複数の無線ＬＡＮ基地局（１１、１２）または無線ＬＡＮ管理サーバ２１への情報要求として情報要求フレームを生成し、送信フレームとしてフレーム送信部１０３に出力する。
情報判定部１０９は、複数の無線ＬＡＮ基地局（１１、１２）または無線ＬＡＮ管理サーバ２１からの情報通知をフレーム受信部１０４から受け取り、内容を解析し帰属すべき無線ＬＡＮ基地局の情報を無線ＬＡＮ制御部１０５に出力する。
【００５３】
図３は、複数の無線ＬＡＮ基地局（１１、１２）の構成を示している。
複数の無線ＬＡＮ基地局（１１、１２）の各々は、アンテナ２０１と、無線送受信部２０２と、フレーム送信部２０３と、フレーム受信部２０４と、無線ＬＡＮ制御部２０５と、ブリッジ部２０６と、有線インタフェース部２０７と、ＥＳＳ−ＩＤテーブル２０８と、端末管理テーブル２０９と、端末状態判定部２１０と、情報要求検出部２１１と、情報通知生成部２１２とを具備している。
有線インタフェース部２０７は、有線ネットワーク（図示しない）とのインタフェースを行う。
フレーム送信部２０３は、ブリッジ部２０６から送られてきた送信データを入力し、無線ＬＡＮの送信フレームに変換して無線送受信部２０２に出力する。
無線送受信部２０２は、フレーム送信部２０３の送信フレームを変調し、無線ＬＡＮ制御部２０５に指定された無線周波数やタイミングで無線信号に変換する。
アンテナ２０１は、無線送受信部２０２に接続され、無線送受信部２０２からの無線信号を送信し、外部からの無線信号を受信して無線送受信部２０２に出力する。
フレーム受信部２０４は、無線送受信部２０２からの無線信号を無線ＬＡＮ制御部２０５の指示に従い復調し、受信フレームに変換し、ブリッジ部２０６に転送する。
端末状態判定部２１０は、ブリッジ部２０６からの通知または送信フレームまたは受信フレームの内容から無線ＬＡＮ端末１の状態を検出し、無線ＬＡＮ制御部２０５に通知する。
情報要求検出部２１１は、フレーム受信部２０４から入力した受信データから、情報要求を検出し、無線ＬＡＮ制御部２０５に通知する。
ＥＳＳ−ＩＤテーブル２０８は、無線ＬＡＮ端末１が帰属するために必要なＥＳＳ−ＩＤ等の情報を格納し、情報要求検出部２１１からの通知に対して無線ＬＡＮ制御部２０５がその情報を参照する。
端末管理テーブル２０９は、無線ＬＡＮ端末１が帰属する際にその無線ＬＡＮ端末１と通信するか否かを判定するために必要な情報を格納し、情報要求検出部２１１からの通知に対して無線ＬＡＮ制御部２０５がその情報を参照する。
情報通知生成部２１２は、無線ＬＡＮ制御部２０５が参照したＥＳＳ−ＩＤ等の情報を含む情報通知として情報通知フレームを生成し、送信フレームとしてフレーム送信部２０３に出力する。
【００５４】
図１２は、ＥＳＳ−ＩＤテーブル２０８を示している。
ＥＳＳ−ＩＤテーブル２０８には、ＥＳＳ−ＩＤテーブル１０７に格納された情報と同じ情報が格納されている。即ち、プロバイダ情報と、状態情報と、識別子とが格納されている。ＥＳＳ−ＩＤテーブル２０８には、更に、端末情報が格納されている。
端末情報は、例えば、端末Ａ、Ｂ、Ｃを表す情報であり、無線ＬＡＮ端末１は、端末Ａであるものとする。
【００５５】
例えば、ＥＳＳ−ＩＤテーブル２０８には、端末情報として“端末Ａ”が、プロバイダ情報“プロバイダＡ”と、識別子“ＥＳＳＡ−Ｗ”、“ＥＳＳＡ−Ｃ”、“ＥＳＳＡＢ”、“ＥＳＳＡＣ”、“ＥＳＳＡＤ”とに対応付けられて格納されている。
【００５６】
また、ＥＳＳ−ＩＤテーブル２０８には、端末情報として“端末Ｂ”が、プロバイダ情報“プロバイダＡ”と、識別子“ＥＳＳＡＣ−Ｗ”、“ＥＳＳＡＣ−Ｃ”とに対応付けられて格納されている。
また、ＥＳＳ−ＩＤテーブル２０８には、端末情報として“端末Ｃ”が、プロバイダ情報“プロバイダＢ”と、識別子“ＥＳＳＢ−Ｗ”、“ＥＳＳＢ−Ｃ”とに対応付けられて格納されている。
【００５７】
図１３は、端末管理テーブル２０９を示している。
端末管理テーブル２０９には、上記の端末情報と、接続可否情報とが格納されている。接続可否情報は、“許可”、“拒否”の一方を表している。
例えば、端末管理テーブル２０９には、端末情報として“端末Ａ”、“端末Ｂ”、“端末Ｃ”と、接続可否情報として“許可”とが格納されている。端末管理テーブル２０９には、端末情報として“その他”と、接続可否情報として“拒否”とが格納されている。
無線ＬＡＮ制御部２０５は、無線ＬＡＮ端末１が自無線ＬＡＮ基地局に帰属する際に、端末管理テーブル２０９を参照して、帰属可否を判断する。ここで、無線ＬＡＮ端末１が“端末Ａ”である場合、帰属を許可する。また、無線ＬＡＮ制御部２０５は、無線ＬＡＮ端末からの情報要求に対して、端末管理テーブル２０９を参照して、応答可否を判断する。ここで、無線ＬＡＮ端末１が“端末Ａ”である場合、応答する。
【００５８】
端末状態判定部２１０は、フレーム送信部２０３への送信データやフレーム受信部２０４からの受信データから使用する通信プロトコルや参加するマルチキャストなどを検出し、無線ＬＡＮ制御部２０５に出力する。
【００５９】
無線ＬＡＮ管理サーバ２１は、複数の無線ＬＡＮ基地局（１１、１２）と同じ構成である。
【００６０】
本発明の無線ＬＡＮ通信システムの動作として、（ａ）無線ＬＡＮ端末１が上記の第１状態又は第２状態を実行する場合について説明する。
【００６１】
ここで、無線ＬＡＮ端末１のアンテナ１０１、無線送受信部１０２、フレーム送信部１０３、フレーム受信部１０４を通信部（１０１〜１０４）と称し、無線ＬＡＮ制御部１０５、ホストインタフェース部１０６、状態判定部１０８、情報判定部１０９、情報要求部１１０を制御部（１０５、１０６、１０８〜１１０）と称する。
複数の無線ＬＡＮ基地局（１１、１２）、無線ＬＡＮ管理サーバ２１のアンテナ２０１、無線送受信部２０２、フレーム送信部２０３、フレーム受信部２０４を通信部（２０１〜２０４）と称し、無線ＬＡＮ制御部２０５、ブリッジ部２０６、有線インタフェース部２０７、端末状態判定部２１０、情報要求検出部２１１、情報通知生成部２１２を制御部（２０５〜２０７、２１０、２１１）と称する。
【００６２】
図４は、（ａ）の場合として、無線ＬＡＮ端末１の動作を示すフローチャート図である。
【００６３】
無線ＬＡＮ端末１の制御部（１０５、１０６、１０８〜１１０）は、第１及び第２状態のうちの一方の状態が実行されるか否かを監視する（ステップＳ１０１）。
【００６４】
通信端末３１“プロバイダＡ”に対して、第１状態として“待ち受け”が実行される（ステップＳ１０１−ＹＥＳ、Ｓ１０２−ＮＯ）。このとき、制御部（１０５、１０６、１０８〜１１０）は、ＥＳＳ−ＩＤテーブル１０７を参照して、識別子“ＥＳＳＡ−Ｗ”、“ＥＳＳＡ−Ｃ”、“ＥＳＳＡＢ”、“ＥＳＳＡＣ”、“ＥＳＳＡＤ”、…の中から、プロバイダ情報“プロバイダＡ”と第１状態“待ち受け”とに対応する対応識別子として第１識別子“ＥＳＳＡ−Ｗ”を選択（検索）する（ステップＳ１０４）。上述のように、第１識別子“ＥＳＳＡ−Ｗ”は、第１状態“待ち受け”の実行に適した無線ＬＡＮ基地局１１を識別している。この場合、制御部（１０５、１０６、１０８〜１１０）は、通信部（１０１〜１０４）を制御して、無線ＬＡＮ基地局１１に接続する帰属処理を行う（ステップＳ１０６）。
【００６５】
通信端末３１“プロバイダＡ”に対して、第２状態として“リアルタイム通信”が実行される（ステップＳ１０１−ＹＥＳ、Ｓ１０２−ＹＥＳ）。このとき、制御部（１０５、１０６、１０８〜１１０）は、ＥＳＳ−ＩＤテーブル１０７を参照して、識別子“ＥＳＳＡ−Ｗ”、“ＥＳＳＡ−Ｃ”、“ＥＳＳＡＢ”、“ＥＳＳＡＣ”、“ＥＳＳＡＤ”、…の中から、プロバイダ情報“プロバイダＡ”と第２状態“リアルタイム通信”とに対応する対応識別子として第２識別子“ＥＳＳＡ−Ｃ”を選択（検索）する（ステップＳ１０５）。上述のように、第２識別子“ＥＳＳＡ−Ｃ”は、第２状態“リアルタイム通信”の実行に適した無線ＬＡＮ基地局１２を識別している。この場合、制御部（１０５、１０６、１０８〜１１０）は、通信部（１０１〜１０４）を制御して、無線ＬＡＮ基地局１２を介して通信端末３１に接続する帰属処理を行う（ステップＳ１０６）。
【００６６】
同様に、通信端末３１“プロバイダＡ”に対して、それぞれ、第２状態として“サービスＢ”、“サービスＢ（特定のアプリケーション）”、“プロトコルＣ”、“マルチキャストグループＤ”が実行される（ステップＳ１０１−ＹＥＳ、Ｓ１０２−ＹＥＳ）。この場合、制御部（１０５、１０６、１０８〜１１０）は、ＥＳＳ−ＩＤテーブル１０７を参照して、プロバイダ情報“プロバイダＡ”と第２状態“サービスＢ”、“サービスＢ（特定のアプリケーション）”、“プロトコルＣ”、“マルチキャストグループＤ”とに対応する対応識別子として、それぞれ、第２識別子“ＥＳＳＡＢ”、“ＥＳＳＡＢ”、“ＥＳＳＡＣ”、“ＥＳＳＡＤ”を選択（検索）する（ステップＳ１０５）。上述のように、第２識別子“ＥＳＳＡＢ”、“ＥＳＳＡＢ”、“ＥＳＳＡＣ”、“ＥＳＳＡＤ”は、それぞれ、第２状態“サービスＢ”、“サービスＢ（特定のアプリケーション）”、“プロトコルＣ”、“マルチキャストグループＤ”の実行に適した無線ＬＡＮ基地局１２を識別している。この場合、制御部（１０５、１０６、１０８〜１１０）は、通信部（１０１〜１０４）を制御して、無線ＬＡＮ基地局１２を介して通信端末３１に接続する帰属処理を行う（ステップＳ１０６）。
【００６７】
図１０は、（ａ）の場合として、本発明の無線ＬＡＮ通信システムの動作を示すシーケンス図である。
【００６８】
上述のように、通信端末３１“プロバイダＡ”に対して、第１状態が実行される（ステップＳ１０１−ＹＥＳ、Ｓ１０２−ＮＯ、Ｓ１０４、Ｓ１０６）。この場合、無線ＬＡＮ端末１の制御部（１０５、１０６、１０８〜１１０）は、その通信部（１０１〜１０４）を制御して、無線ＬＡＮ基地局１１に接続する帰属処理を行う（ステップＥ１１）。
【００６９】
一方、上述のように、通信端末３１“プロバイダＡ”に対して、第２状態が実行される（ステップＳ１０１−ＹＥＳ、Ｓ１０２−ＹＥＳ、Ｓ１０５、Ｓ１０６）。この場合、無線ＬＡＮ端末１の制御部（１０５、１０６、１０８〜１１０）は、その通信部（１０１〜１０４）を制御して、無線ＬＡＮ基地局１２を介して通信端末３１に接続する帰属処理を行う（ステップＥ１２）。無線ＬＡＮ端末１の制御部（１０５、１０６、１０８〜１１０）は、その通信部（１０１〜１０４）を制御して、通信端末３１に発信し（ステップＥ１３）、通話（通信）を開始する（ステップＥ１４）。
この場合、無線ＬＡＮ端末１が無線ＬＡＮ基地局１２を介して通信端末３１と通信を行なうときに生じる遅延は、無線ＬＡＮ端末１が無線ＬＡＮ基地局１１を介して通信端末３１と通信を行なうときに生じる遅延よりも短い。
一方、無線ＬＡＮ端末１が無線ＬＡＮ基地局１１に接続されているとき、通信端末３１と通信を行なわない。このため、無線ＬＡＮ端末１が通信無線ＬＡＮ基地局１１に接続されているときの消費電力は、無線ＬＡＮ端末１が通信無線ＬＡＮ基地局１２に接続されているときの消費電力よりも小さい。
【００７０】
このように、本発明の無線ＬＡＮ通信システムでは、無線ＬＡＮ端末１は、自身の状態（第１状態、第２状態）を実行するときに、自動的に、その状態に適した無線ＬＡＮ基地局を選択して帰属するため、その状態に適したネットワーク環境で通話（通信）を行うことができる。これにより、無線ＬＡＮ端末１の利用者は、ネットワーク環境を意識することなく快適な無線ＬＡＮ接続サービスを受けることができる。
【００７１】
また、本発明の無線ＬＡＮ通信システムによれば、無線ＬＡＮ端末１は、自身の状態によって、適した無線ＬＡＮ基地局に帰属することができるので、たとえば第１状態として待ち受け時では無線ＬＡＮ端末１の待ち受け時間を長くできるような設定の無線ＬＡＮ基地局１１に帰属し、第２状態としてリアルタイム通信時では遅延を短くできるような設定の無線ＬＡＮ基地局１２に帰属することが可能となり、利用者の利便性が向上する。また、本発明の無線ＬＡＮ通信システムによれば、無線ＬＡＮ端末１は、第２状態として、利用するサービスや、起動するアプリケーションや、使用する通信プロトコルや、参加するマルチキャストに適した無線ＬＡＮ基地局１２を選択して帰属することも可能であり、さらに利便性が向上する。
【００７２】
次に、本発明の無線ＬＡＮ通信システムの動作として、（ｂ）通信端末３１が無線ＬＡＮ端末１と通信するために、第２状態を実行するための実行要求を行なう場合について説明する。
【００７３】
図５は、（ｂ）の場合として、無線ＬＡＮ端末１の動作を示すフローチャート図である。
【００７４】
無線ＬＡＮ端末１の制御部（１０５、１０６、１０８〜１１０）は、第１及び第２状態のうちの一方の状態が実行されるか否かを監視する（ステップＳ１０１）。
【００７５】
通信端末３１“プロバイダＡ”に対して、第１状態として“待ち受け”が実行される（ステップＳ１０１−ＹＥＳ、Ｓ１０２−ＮＯ、Ｓ１０３−ＮＯ）。このとき、（ａ）の場合と同様に、制御部（１０５、１０６、１０８〜１１０）は、ＥＳＳ−ＩＤテーブル１０７を参照して、プロバイダ情報“プロバイダＡ”と第１状態“待ち受け”とに対応する対応識別子として第１識別子“ＥＳＳＡ−Ｗ”を選択（検索）する（ステップＳ１０４）。上述のように、第１識別子“ＥＳＳＡ−Ｗ”は、第１状態“待ち受け”の実行に適した無線ＬＡＮ基地局１１を識別している。この場合、制御部（１０５、１０６、１０８〜１１０）は、通信部（１０１〜１０４）を制御して、無線ＬＡＮ基地局１１に接続する帰属処理を行う（ステップＳ１０６）。
【００７６】
通信端末３１“プロバイダＡ”に対して、第２状態として“リアルタイム通信”が実行される（ステップＳ１０１−ＹＥＳ、Ｓ１０２−ＹＥＳ）。このとき、（ａ）の場合と同様に、制御部（１０５、１０６、１０８〜１１０）は、ＥＳＳ−ＩＤテーブル１０７を参照して、プロバイダ情報“プロバイダＡ”と第２状態“リアルタイム通信”とに対応する対応識別子として第２識別子“ＥＳＳＡ−Ｃ”を選択（検索）する（ステップＳ１０５）。上述のように、第２識別子“ＥＳＳＡ−Ｃ”は、第２状態“リアルタイム通信”の実行に適した無線ＬＡＮ基地局１２を識別している。この場合、制御部（１０５、１０６、１０８〜１１０）は、通信部（１０１〜１０４）を制御して、無線ＬＡＮ基地局１２を介して通信端末３１に接続する帰属処理を行う（ステップＳ１０６）。
【００７７】
通信端末３１“プロバイダＡ”に対して、第１状態として“待ち受け”が実行されているとき、制御部（１０５、１０６、１０８〜１１０）は、通信部（１０１〜１０４）を制御して、無線ＬＡＮ基地局１１に接続する帰属処理を実行している（ステップＳ１０１−ＹＥＳ、Ｓ１０２−ＮＯ、Ｓ１０３−ＮＯ、Ｓ１０４、Ｓ１０６）。このとき、（ｂ）の場合として、通信端末３１は、無線ＬＡＮ端末１と通信するために、第２状態“リアルタイム通信”を実行するための実行要求を、無線ＬＡＮ基地局１１を介して無線ＬＡＮ端末１に送信する。通信部（１０１〜１０４）は、その実行要求を受信し（ステップＳ１０３−ＹＥＳ）、制御部（１０５、１０６、１０８〜１１０）は、ＥＳＳ−ＩＤテーブル１０７を参照して、プロバイダ情報“プロバイダＡ”と第２状態“リアルタイム通信”とに対応する対応識別子として第２識別子“ＥＳＳＡ−Ｃ”を選択（検索）する（ステップＳ１０５）。上述のように、第２識別子“ＥＳＳＡ−Ｃ”は、第２状態“リアルタイム通信”の実行に適した無線ＬＡＮ基地局１２を識別している。この場合、制御部（１０５、１０６、１０８〜１１０）は、通信部（１０１〜１０４）を制御して、無線ＬＡＮ基地局１２を介して通信端末３１に接続する帰属処理を行う（ステップＳ１０６）。
【００７８】
通信端末３１“プロバイダＡ”に対して、第１状態として“待ち受け”が実行されているとき、制御部（１０５、１０６、１０８〜１１０）は、通信部（１０１〜１０４）を制御して、無線ＬＡＮ基地局１１に接続する帰属処理を実行している（ステップＳ１０１−ＹＥＳ、Ｓ１０２−ＮＯ、Ｓ１０３−ＮＯ、Ｓ１０４、Ｓ１０６）。このとき、（ｂ）の場合として、通信端末３１は、無線ＬＡＮ端末１と通信するために、それぞれ、第２状態“サービスＢ”、“サービスＢ（特定のアプリケーション）”、“プロトコルＣ”、“マルチキャストグループＤ”を実行するための実行要求を、無線ＬＡＮ基地局１１を介して無線ＬＡＮ端末１に送信する。通信部（１０１〜１０４）は、その実行要求を受信し（ステップＳ１０３−ＹＥＳ）、制御部（１０５、１０６、１０８〜１１０）は、ＥＳＳ−ＩＤテーブル１０７を参照して、プロバイダ情報“プロバイダＡ”と第２状態“サービスＢ”、“サービスＢ（特定のアプリケーション）”、“プロトコルＣ”、“マルチキャストグループＤ”とに対応する対応識別子として、それぞれ、第２識別子“ＥＳＳＡＢ”、“ＥＳＳＡＢ”、“ＥＳＳＡＣ”、“ＥＳＳＡＤ”を選択（検索）する（ステップＳ１０５）。上述のように、第２識別子“ＥＳＳＡＢ”、“ＥＳＳＡＢ”、“ＥＳＳＡＣ”、“ＥＳＳＡＤ”は、それぞれ、第２状態“サービスＢ”、“サービスＢ（特定のアプリケーション）”、“プロトコルＣ”、“マルチキャストグループＤ”の実行に適した無線ＬＡＮ基地局１２を識別している。この場合、制御部（１０５、１０６、１０８〜１１０）は、通信部（１０１〜１０４）を制御して、無線ＬＡＮ基地局１２を介して通信端末３１に接続する帰属処理を行う（ステップＳ１０６）。
【００７９】
図７は、（ｂ）の場合として、本発明の無線ＬＡＮ通信システムの動作を示すシーケンス図である。
【００８０】
上述のように、通信端末３１“プロバイダＡ”に対して、第１状態が実行される（ステップＳ１０１−ＹＥＳ、Ｓ１０２−ＮＯ、Ｓ１０３−ＮＯ、Ｓ１０４、Ｓ１０６）。
この場合、無線ＬＡＮ端末１の制御部（１０５、１０６、１０８〜１１０）は、その通信部（１０１〜１０４）を制御して、無線ＬＡＮ基地局１１に接続する帰属処理を行う（ステップＥ１）。
【００８１】
上述のように、無線ＬＡＮ端末１が無線ＬＡＮ基地局１１に接続しているとき、通信端末３１は、無線ＬＡＮ端末１と通話（通信）する（ステップＳ１０１−ＹＥＳ、Ｓ１０２−ＮＯ、Ｓ１０３−ＹＥＳ、Ｓ１０５、Ｓ１０６）。
この場合、まず、通信端末３１は、無線ＬＡＮ端末１に対して発信し、第２状態として例えば“リアルタイム通信”を実行するための実行要求を無線ＬＡＮ基地局１１に送信する（ステップＥ２）。無線ＬＡＮ基地局１１の通信部（２０１〜２０４）は、その実行要求を受信する。
無線ＬＡＮ基地局１１の制御部（２０５〜２０７、２１０、２１１）は、その端末管理テーブル２０９を参照して、無線ＬＡＮ端末１“端末Ａ”に対する接続可否情報が“許可”であるため、実行要求に応答する。無線ＬＡＮ基地局１１の制御部（２０５〜２０７、２１０、２１１）は、実行要求に応じて、そのＥＳＳ−ＩＤテーブル２０８を参照し、プロバイダ情報“プロバイダＡ”と第２状態“リアルタイム通信”とに対応する対応識別子として第２識別子“ＥＳＳＡ−Ｃ”を選択（検索）する。無線ＬＡＮ基地局１１の制御部（２０５〜２０７、２１０、２１１）は、その通信部（２０１〜２０４）を制御して、第２識別子“ＥＳＳＡ−Ｃ”を含む情報通知を無線ＬＡＮ端末１に送信する（ステップＥ４）。
【００８２】
次に、無線ＬＡＮ端末１の通信部（１０１〜１０４）は、情報通知を受信する。無線ＬＡＮ端末１の制御部（１０５、１０６、１０８〜１１０）は、情報通知に応じて、ＥＳＳ−ＩＤテーブル１０７を参照して、第２識別子“ＥＳＳＡ−Ｃ”に一致する識別子を選択する。無線ＬＡＮ端末１の制御部（１０５、１０６、１０８〜１１０）は、第２識別子“ＥＳＳＡ−Ｃ”を含む情報応答を無線ＬＡＮ基地局１１に送信する（ステップＥ５）。
無線ＬＡＮ基地局１１の通信部（２０１〜２０４）は、その情報応答を受信する。無線ＬＡＮ基地局１１の制御部（２０５〜２０７、２１０、２１１）は、そのＥＳＳ−ＩＤテーブル２０８を参照し、情報応答に含まれる第２識別子“ＥＳＳＡ−Ｃ”により、第１状態の実行の終了を認識する。無線ＬＡＮ基地局１１の制御部（２０５〜２０７、２１０、２１１）は、その通信部（２０１〜２０４）を制御して、情報応答を無線ＬＡＮ基地局１２に転送する（ステップＥ７）。
【００８３】
次に、無線ＬＡＮ基地局１２の通信部（２０１〜２０４）は、無線ＬＡＮ基地局１１により転送された情報応答を受信する。無線ＬＡＮ基地局１２の制御部（２０５〜２０７、２１０、２１１）は、その端末管理テーブル２０９を参照して、無線ＬＡＮ端末１“端末Ａ”に対する接続可否情報が“許可”であるため、無線ＬＡＮ端末１に対して帰属を許可する。
無線ＬＡＮ端末１の制御部（１０５、１０６、１０８〜１１０）は、その通信部（１０１〜１０４）を制御して、無線ＬＡＮ基地局１２を介して通信端末３１に接続する帰属処理を行う（ステップＥ８）。無線ＬＡＮ基地局１２の制御部（２０５〜２０７、２１０、２１１）は、その通信部（２０１〜２０４）を制御して、無線ＬＡＮ基地局１１により転送された情報応答を無線ＬＡＮ端末１に転送する（ステップＥ９）。これにより、無線ＬＡＮ端末１の制御部（１０５、１０６、１０８〜１１０）は、その通信部（１０１〜１０４）を制御して、通信端末３１と通話（通信）を開始する（ステップＥ１０）。
【００８４】
このように、本発明の無線ＬＡＮ通信システムでは、無線ＬＡＮ端末１が無線ＬＡＮ基地局１１と接続しているときに、通信端末３１が無線ＬＡＮ端末１と通信するために、第２状態を実行するための実行要求を行なう場合もある。この場合でも、無線ＬＡＮ基地局１１は、上記の第２状態に適した無線ＬＡＮ基地局１２を選択し、無線ＬＡＮ基地局１２を識別する識別子を含む情報通知を無線ＬＡＮ端末１に通知し、無線ＬＡＮ端末１は、その情報通知により無線ＬＡＮ基地局１２を選択して帰属するため、第２状態に適したネットワーク環境で通話（通信）を行うことができる。これにより、無線ＬＡＮ端末１の利用者がネットワーク環境を意識することなく快適な無線ＬＡＮ接続サービスを受けることができる。
【００８５】
なお、図６に示されるように、上記のステップＥ４は、無線ＬＡＮ端末１から無線ＬＡＮ基地局１１への情報要求（ステップＥ３）が送られてから実行されても良い。
【００８６】
また、図９に示されるように、無線ＬＡＮ基地局１１に代わって、無線ＬＡＮ管理サーバ２１が情報通知を行う場合も想定される。これについて説明する。
【００８７】
上述のように、無線ＬＡＮ端末１が無線ＬＡＮ基地局１１に接続しているとき、通信端末３１は、無線ＬＡＮ端末１と通話（通信）する（ステップＳ１０１−ＹＥＳ、Ｓ１０２−ＮＯ、Ｓ１０３−ＹＥＳ、Ｓ１０５、Ｓ１０６）。
この場合、まず、通信端末３１は、無線ＬＡＮ端末１に対して発信し、第２状態として例えば“リアルタイム通信”を実行するための実行要求を無線ＬＡＮ基地局１１に送信する（ステップＥ２）。無線ＬＡＮ基地局１１の通信部（２０１〜２０４）は、その実行要求を受信する。
無線ＬＡＮ管理サーバ２１の制御部（２０５〜２０７、２１０、２１１）は、通信端末３１と複数の無線ＬＡＮ基地局（１１、１２）とを監視し、実行要求に応じて、そのＥＳＳ−ＩＤテーブル２０８を参照し、プロバイダ情報“プロバイダＡ”と第２状態“リアルタイム通信”とに対応する対応識別子として第２識別子“ＥＳＳＡ−Ｃ”を選択（検索）する。無線ＬＡＮ管理サーバ２１の制御部（２０５〜２０７、２１０、２１１）は、その通信部（２０１〜２０４）を制御して、第２識別子“ＥＳＳＡ−Ｃ”を含む情報通知を無線ＬＡＮ端末１に送信する（ステップＥ４）。
【００８８】
次に、無線ＬＡＮ端末１の通信部（１０１〜１０４）は、情報通知を受信する。無線ＬＡＮ端末１の制御部（１０５、１０６、１０８〜１１０）は、情報通知に応じて、ＥＳＳ−ＩＤテーブル１０７を参照して、第２識別子“ＥＳＳＡ−Ｃ”に一致する識別子を選択する。無線ＬＡＮ端末１の制御部（１０５、１０６、１０８〜１１０）は、第２識別子“ＥＳＳＡ−Ｃ”を含む情報応答を無線ＬＡＮ管理サーバ２１に送信する（ステップＥ５）。
無線ＬＡＮ管理サーバ２１の通信部（２０１〜２０４）は、その情報応答を受信する。無線ＬＡＮ管理サーバ２１の制御部（２０５〜２０７、２１０、２１１）は、上記の情報通知を無線ＬＡＮ基地局１１に送信する（ステップＥ６）。
無線ＬＡＮ基地局１１の通信部（２０１〜２０４）は、情報通知を受信する。無線ＬＡＮ基地局１１の制御部（２０５〜２０７、２１０、２１１）は、そのＥＳＳ−ＩＤテーブル２０８を参照し、情報通知に含まれる第２識別子“ＥＳＳＡ−Ｃ”により、第１状態の実行の終了を認識する。無線ＬＡＮ基地局１１の制御部（２０５〜２０７、２１０、２１１）は、その通信部（２０１〜２０４）を制御して、情報通知を無線ＬＡＮ基地局１２に転送する（ステップＥ７）。
【００８９】
次に、無線ＬＡＮ基地局１２の通信部（２０１〜２０４）は、無線ＬＡＮ基地局１１により転送された情報通知を受信する。無線ＬＡＮ基地局１２の制御部（２０５〜２０７、２１０、２１１）は、その端末管理テーブル２０９を参照して、無線ＬＡＮ端末１“端末Ａ”に対する接続可否情報が“許可”であるため、無線ＬＡＮ端末１に対して帰属を許可する。
無線ＬＡＮ端末１の制御部（１０５、１０６、１０８〜１１０）は、その通信部（１０１〜１０４）を制御して、無線ＬＡＮ基地局１２を介して通信端末３１に接続する帰属処理を行う（ステップＥ８）。無線ＬＡＮ基地局１２の制御部（２０５〜２０７、２１０、２１１）は、その通信部（２０１〜２０４）を制御して、無線ＬＡＮ基地局１１により転送された情報通知を無線ＬＡＮ端末１に転送する（ステップＥ９）。これにより、無線ＬＡＮ端末１の制御部（１０５、１０６、１０８〜１１０）は、その通信部（１０１〜１０４）を制御して、通信端末３１と通話（通信）を開始する（ステップＥ１０）。
【００９０】
このように、本発明の無線ＬＡＮ通信システムでは、無線ＬＡＮ端末１が無線ＬＡＮ基地局１１と接続しているときに、通信端末３１が無線ＬＡＮ端末１と通信するために、第２状態を実行するための実行要求を行なう場合もある。この場合でも、無線ＬＡＮ管理サーバ２１は、通信端末３１と複数の無線ＬＡＮ基地局（１１、１２）とを監視し、上記の第２状態に適した無線ＬＡＮ基地局１２を選択し、無線ＬＡＮ基地局１２を識別する識別子を含む情報通知を無線ＬＡＮ端末１に通知し、無線ＬＡＮ端末１は、その情報通知により無線ＬＡＮ基地局１２を選択して帰属するため、第２状態に適したネットワーク環境で通話（通信）を行うことができる。これにより、無線ＬＡＮ端末１の利用者がネットワーク環境を意識することなく快適な無線ＬＡＮ接続サービスを受けることができる。
【００９１】
なお、図８に示されるように、上記のステップＥ４は、無線ＬＡＮ端末１から無線ＬＡＮ基地局１１への情報要求（ステップＥ３）が送られてから実行されても良い。
【００９２】
（第２実施形態）
本発明の第２実施形態による無線ＬＡＮ通信システムでは、第１実施形態と重複する説明を省略する。
図１３に示されるように、第２実施形態では、本発明の無線ＬＡＮ通信システムを利用して、無線ＬＡＮ接続サービスを行うことについて説明する。
【００９３】
無線ＬＡＮ接続サービス事業者３０２は、前述の複数の無線ＬＡＮ基地局（１１、１２）及び無線ＬＡＮ管理サーバ２１などから構成される無線ＬＡＮ接続サービスネットワーク３０４を構築する。
無線ＬＡＮ接続サービス利用者３０１は、無線ＬＡＮ接続サービス事業者３０２に会費３１１を払う。また、無線ＬＡＮ接続サービス利用者３０１は、前述の無線ＬＡＮ端末１を購入またはレンタルし、無線ＬＡＮ接続サービス利用時に使用する。
【００９４】
無線ＬＡＮ接続サービス事業者３０２は、無線ＬＡＮ接続サービス利用者３０１から会費３１１が払われると、複数の無線ＬＡＮ基地局（１１、１２）もしくは無線ＬＡＮ管理サーバ２１の端末管理テーブル２０９に、無線ＬＡＮ接続サービス利用者３０１の識別番号を設定情報３１２（前述の端末情報）として設定し（図１６参照）、ＥＳＳ−ＩＤテーブル２０８に状態情報（通信、サービス、プロトコル、マルチキャストグループ）を設定情報３１２として設定する（図１７参照）。
【００９５】
また、無線ＬＡＮ接続サービス事業者３０２は、無料もしくは安価で無線ＬＡＮ接続サービスを行うことも可能である。企業もしくは広告会社３０３は、無線ＬＡＮ接続サービス事業者３０２に広告配信料金３１３を払う。無線ＬＡＮ接続サービス事業者３０２は、広告配信サーバ２２に広告コンテンツ３１４を登録する。広告コンテンツ３１４は、複数の無線ＬＡＮ基地局１１〜１３のうちの無線ＬＡＮ基地局１３を介して、無線ＬＡＮ接続サービスの非会員、無料会員（もしくは会費の安価な会員）が利用する無線ＬＡＮ端末として無線ＬＡＮ端末１に配信される（図１４参照）。
【００９６】
さらに詳細なサービス例について図１４を利用して説明する。
【００９７】
無線ＬＡＮ接続サービス事業者３０２は、複数の無線ＬＡＮ基地局１１〜１３と、無線ＬＡＮ管理サーバ２１と、広告配信サーバ２２から構成される無線ＬＡＮ接続サービスネットワークを構築する。無線ＬＡＮ接続サービス事業者３０２は、無線ＬＡＮ管理サーバ２１の端末管理テーブル２０９に無線ＬＡＮ接続サービス利用者の識別番号を設定し、無線ＬＡＮ管理サーバ２１のＥＳＳ−ＩＤテーブル２０８と無線ＬＡＮ端末１のＥＳＳ−ＩＤテーブル１０７に、状態情報（通信、サービス、プロトコル、マルチキャストグループ）を設定しておく。さらに、無線ＬＡＮ接続サービス事業者３０２は、広告配信サーバ２２に広告コンテンツ３１４を登録しておく。
【００９８】
上述のように、無線ＬＡＮ接続サービスの会員は、無線ＬＡＮ端末１を所有している。そのため、図１６に示されるように、無線ＬＡＮ管理サーバ２１の端末管理テーブル２０９には、無線ＬＡＮ端末１に対応付けて接続可否情報が“許可”に設定（格納）されている。また非会員に関しても接続可否情報が“許可”に設定（格納）されている。
【００９９】
また、図１７に示されるように、ＥＳＳ−ＩＤテーブル１０７、２０８には、プロバイダ情報として“無線ＬＡＮ接続サービス事業者”と、上記通信における第１状態情報として“待ち受け”と、識別子として“ＥＳＳ−Ｗ”とが格納されている。また、ＥＳＳ−ＩＤテーブル１０７、２０８には、プロバイダ情報として“無線ＬＡＮ接続サービス事業者”と、上記通信における第２状態情報として“リアルタイム通信”と、識別子として“ＥＳＳ−Ｃ”とが格納されている。識別子“ＥＳＳ−Ｗ”、“ＥＳＳ−Ｃ”は、それぞれ、複数の無線ＬＡＮ基地局１１〜１３のうちの、第１状態“待ち受け”、第２状態“リアルタイム通信”の実行に適した無線ＬＡＮ基地局１１、１２を識別しているものとする。
また、ＥＳＳ−ＩＤテーブル１０７、２０８には、非会員に対して、識別子として“ＥＳＳ−ＦＲＥＥ”が格納されている。識別子“ＥＳＳ−ＦＲＥＥ”は、複数の無線ＬＡＮ基地局１１〜１３のうちの、無線ＬＡＮ基地局１３を識別しているものとする。
【０１００】
また、無線ＬＡＮ基地局１１は、無線ＬＡＮ端末１が待ち受け時の消費電力が小さくなるよう、ＤＴＩＭ間隔を長くし、また代理ＡＲＰ機能を有するなどブロードキャストパケットも少なく抑える設定としている。
無線ＬＡＮ基地局１２は、上述のように会員用の無線ＬＡＮ基地局であり、無線ＬＡＮ端末１がリアルタイム通信に遅延が発生しないようにＤＴＩＭ間隔を短くする設定としている。
無線ＬＡＮ基地局１３は、上述のように非会員用の無線ＬＡＮ基地局であり、広告配信サーバ２２は、無線ＬＡＮ基地局１３を介して広告コンテンツ３１４を配信する。
【０１０１】
無線ＬＡＮ端末１の無線ＬＡＮ接続サービスネットワークへの接続について説明する。
【０１０２】
待ち受け中の無線ＬＡＮ接続サービス会員が無線ＬＡＮ端末１を使用して無線ＬＡＮ接続サービスネットワークに接続する場合、自無線ＬＡＮ端末１のＥＳＳ−ＩＤテーブル１０７の内容から無線ＬＡＮ基地局１１を選択し、帰属する。
この場合、無線ＬＡＮ端末１は、ＥＳＳ−ＩＤテーブル１０７を参照し、第１状態に対応する第１識別子“ＥＳＳ−Ｗ”を選択し（ステップＳ１０１−ＹＥＳ、Ｓ１０２−ＮＯ、Ｓ１０４、又は、ステップＳ１０１−ＹＥＳ、Ｓ１０２−ＮＯ、Ｓ１０３−ＮＯ、Ｓ１０４）、第１識別子“ＥＳＳ−Ｗ”が識別する無線ＬＡＮ基地局１１に接続する（ステップＳ１０６）（ステップＥ１）。
無線ＬＡＮ基地局１１は、あらかじめ待ち受け時間が長くなるように無線ＬＡＮ端末の消費電力が小さくなるような設定となっているため、待ち受け状態サービスを登録している無線ＬＡＮ接続サービス会員の無線ＬＡＮ端末は、長時間待ち受け可能となる。
【０１０３】
無線ＬＡＮ端末１もしくは無線ＬＡＮ管理サーバ２１がリアルタイム通信を行うと判断した場合、無線ＬＡＮ端末１は無線ＬＡＮ基地局１２を選択し、帰属する。
この場合、無線ＬＡＮ端末１は、ＥＳＳ−ＩＤテーブル１０７を参照し、第２状態に対応する第２識別子“ＥＳＳ−Ｃ”を選択し（ステップＳ１０１−ＹＥＳ、Ｓ１０２−ＹＥＳ、Ｓ１０５、又は、ステップＳ１０１−ＹＥＳ、Ｓ１０２−ＮＯ、Ｓ１０３−ＹＥＳ、Ｓ１０５）（ステップＥ５、Ｅ７）、第２識別子“ＥＳＳ−Ｃ”が識別する無線ＬＡＮ基地局１２を介して、通信端末３１に接続する（ステップＳ１０６）（ステップＥ８）。
無線ＬＡＮ基地局１２は遅延が小さくなるよう設定されているので、リアルタイム通信状態サービスを登録している無線ＬＡＮ接続サービス会員の無線ＬＡＮ端末１は、遅延なくリアルタイム通信を行うことができる。
【０１０４】
無線ＬＡＮ接続サービス非会員が無線ＬＡＮ端末２を使用して無線ＬＡＮ接続サービスネットワークに接続する場合、無線ＬＡＮ管理サーバ２１の端末管理テーブル２０９にはその他端末も接続許可になっているため、無線ＬＡＮ接続サービスネットワークに接続することは可能であるが、ＥＳＳ−ＩＤテーブル２０８には非会員は無線ＬＡＮ基地局１３のみ接続が許可されているため、無線ＬＡＮ端末２は無線ＬＡＮ基地局１３への帰属のみ許される。
この場合、無線ＬＡＮ端末２は、ＥＳＳ−ＩＤテーブル１０７を参照し、第２状態に対応する第２識別子“ＥＳＳ−ＦＲＥＥ”を選択し（ステップＳ１０１−ＹＥＳ、Ｓ１０２−ＹＥＳ、Ｓ１０５、又は、ステップＳ１０１−ＹＥＳ、Ｓ１０２−ＮＯ、Ｓ１０３−ＹＥＳ、Ｓ１０５）（ステップＥ５、Ｅ７）、第２識別子“ＥＳＳ−ＦＲＥＥ”が識別する無線ＬＡＮ基地局１３を介して、通信端末３１に接続する（ステップＳ１０６）（ステップＥ８）。
無線ＬＡＮ基地局１３は広告配信サーバ２２から無線ＬＡＮ基地局３を介して接続している無線ＬＡＮ端末２に対して広告コンテンツ３１４が配信される。したがって、無線ＬＡＮ基地局１３は、トラヒックが多少混んでおり、無線ＬＡＮ端末２も広告コンテンツ３１４を受信する分、消費電力が大きくなり、待ち受け時間が短くなる。またリアルタイム通信を行う場合も遅延が大きくなる。
【０１０５】
このように、本発明の無線ＬＡＮ通信システムでは、本システムを利用する利用者を会員と非会員とに分けている。通常の通信システムにおける会員制度では、会員は無線ＬＡＮ基地局を介してネットワークに接続可能とし、会員以外は通信端末に接続不可能とすることで、単にネットワークへの接続のみを付加価値として提供している。本発明の無線ＬＡＮ通信システムでは、会員と非会員双方に無線ＬＡＮ接続サービスを提供し、その無線ＬＡＮ接続サービスにより会員と非会員に対して差別化を図ることができる。
【図面の簡単な説明】
【０１０６】
【図１】本発明の無線ＬＡＮ通信システムの構成を示す図である。（第１実施形態）
【図２】無線ＬＡＮ端末の構成を示す図である。（第１実施形態）
【図３】無線ＬＡＮ基地局の構成を示す図である。（第１実施形態）
【図４】（ａ）の場合として、無線ＬＡＮ端末の動作を示すフローチャート図である。（第１実施形態）
【図５】（ｂ）の場合として、無線ＬＡＮ端末の動作を示すフローチャート図である。（第１実施形態）
【図６】（ｂ）の場合として、本発明の無線ＬＡＮ通信システムの動作を示すシーケンス図である。（第１実施形態）
【図７】（ｂ）の場合として、本発明の無線ＬＡＮ通信システムの動作を示すシーケンス図である。（第１実施形態）
【図８】（ｂ）の場合として、本発明の無線ＬＡＮ通信システムの動作を示すシーケンス図である。（第１実施形態）
【図９】（ｂ）の場合として、本発明の無線ＬＡＮ通信システムの動作を示すシーケンス図である。（第１実施形態）
【図１０】（ａ）の場合として、本発明の無線ＬＡＮ通信システムの動作を示すシーケンス図である。（第１実施形態）
【図１１】無線ＬＡＮ端末のＥＳＳ−ＩＤテーブルを示す図である。（第１実施形態）
【図１２】無線ＬＡＮ基地局または無線ＬＡＮシステム管理サーバのＥＳＳ−ＩＤテーブルを示す図である。（第１実施形態）
【図１３】本発明の無線ＬＡＮ通信システムにより利用される無線ＬＡＮ接続サービスを説明するための図である。（第２実施形態）
【図１４】本発明の無線ＬＡＮ通信システムの構成を示す図である。（第２実施形態）
【図１５】無線ＬＡＮ基地局または無線ＬＡＮシステム管理サーバの端末管理テーブルを示す図である。（第１実施形態）
【図１６】無線ＬＡＮ基地局または無線ＬＡＮシステム管理サーバの端末管理テーブルを示す図である。（第２実施形態）
【図１７】無線ＬＡＮ基地局または無線ＬＡＮシステム管理サーバのＥＳＳ−ＩＤテーブルを示す図である。（第２実施形態）
【符号の説明】
【０１０７】
１、２    無線ＬＡＮ端末
１１、１２    無線ＬＡＮ基地局
２１    無線ＬＡＮ管理サーバ
２２    広告配信サーバ
３１    通信端末
４１    無線ネットワーク
４２    ネットワーク
１０１、２０１    アンテナ
１０２、２０２    無線送受信部
１０３、２０３    フレーム送信部
１０４、２０４    フレーム受信部
１０５、２０５    無線ＬＡＮ制御部
１０６    ホストインタフェース部
１０７    ＥＳＳ−ＩＤテーブル
１０８    状態判定部
１０９    情報判定部
１１０    情報要求部
２０６    ブリッジ部
２０７    有線インタフェース部
２０８    ＥＳＳ−ＩＤテーブル
２０９    端末管理テーブル
２１０    端末状態判定部
２１１    情報要求検出部
２１２    情報通知生成部
３０１    無線ＬＡＮ接続サービス利用者
３０２    無線ＬＡＮ接続サービス事業者
３０３    企業、広告会社
３０４    無線ＬＡＮ接続サービスネットワーク
【図１】
2008124619.tif 000003
【図２】
2008124619.tif 000004
【図３】
2008124619.tif 000005
【図４】
2008124619.tif 000006
【図５】
2008124619.tif 000007
【図６】
2008124619.tif 000008
【図７】
2008124619.tif 000009
【図８】
2008124619.tif 000010
【図９】
2008124619.tif 000011
【図１０】
2008124619.tif 000012
【図１１】
2008124619.tif 000013
【図１２】
2008124619.tif 000014
【図１３】
2008124619.tif 000015
【図１４】
2008124619.tif 000016
【図１５】
2008124619.tif 000017
【図１６】
2008124619.tif 000018
【図１７】
2008124619.tif 000019